(57)【特許請求の範囲】
【請求項１】
内壁材と外壁材とから成る中空壁の貫通孔に対して貫着可能に柔軟性と弾力性を有する合成樹脂製の管材で一体的に形成した貫通ダクト部材において、
前記管材の一方側の外周には、端部側に前記貫通孔よりも大径の外部フランジを形成するとともに該外部フランジより中央側に前記内壁材又は外壁材のいずれか一方の厚さと略等しい溝幅の外周溝を形成する内部フランジを前記貫通孔よりも大径に形成し、
前記管材の他方側の外周には、前記内部フランジから壁内の中空間隔よりも離れた部位に前記貫通孔よりも大径の内部フランジを設けるとともに該内部フランジよりもさらに端部側に前記中空間隔よりも長い差込ガイド部を形成し、
前記管材の外周径を、前記外周溝部分では上記一方側の内壁材又は外壁材の貫通孔と略等しい外径に形成し、前記差込ガイド部側の内部フランジ寄り部位では前記他方側の貫通孔と略等しい外径に形成し、
前記管材の両内部フランジの内周面にはそれぞれ内部フランジの厚肉内に広がる内周溝を形成し、
前記両内部フランジ間には、貫通孔と略等しい内径で、長さが前記外壁材と内壁材との間隔より長く、縮めたときに該間隔内に納まる長さで、指の力で柔軟に変形し且つ復元可能な厚みとした蛇腹状の伸縮部を形成したことを特徴とする貫通ダクト部材。
【請求項２】
内周溝の溝内に、該内周溝の溝幅と略同厚とした弾力性を備えた柔軟なリング状充填部材を充填したことを特徴とする請求項１に記載の貫通ダクト部材。
【請求項３】
内周溝の溝内に充填されたリング状充填部材を、一方の半周側は前記内周溝内に固定し、固定させない他方の半周側は前記内周溝から溝外に引き出し可能に納めたことを特徴とする請求項２に記載の貫通ダクト部材。
【請求項４】
請求項１乃至３のうちいずれかに記載の貫通ダクト部材の管材の端部から差し込んで、中空壁の貫通孔に管材の端部を固定する端部押さえ部材を備えた貫通ダクト部材であって、
前記端部押さえ部材が、前記管材のいずれか一方又は両方の端部の内周径と略同径の外周径とした筒体の基端部にはフランジ部を備え、該筒体の先端部には、外周面に前記フランジ部が前記外壁材又は内壁材の外面若しくは前記前記管材の外部フランジの外面に接合状態で前記管材の内周溝内に係合可能な凸部を形成し、該筒体の周方向に間隔を置いて先端部から前記凸部のある位置よりも深い部位に達する割溝を形成したことを特徴とする貫通ダクト部材。
【請求項５】
請求項１乃至３のうちいずれかに記載の貫通ダクト部材の管材の端部から差し込んで、中空壁の貫通孔に管材の端部を固定する端部押さえ部材を備えた貫通ダクト部材であって、
前記端部押さえ部材が、前記管材のいずれか一方又は両方の端部の内周径と略同径の外周径とした筒体の基端部には外周面に雄螺部を形成するとともに該雄螺部に螺合する雌螺部を形成したフランジ部材を螺着可能に備え、該筒体の先端部には、外周面に前記フランジ部が前記外壁材又は内壁材の外面若しくは前記管材の外部フランジの外面に接合状態で前記管材の内周溝内に係合可能な凸部を形成し、該筒体の周方向に間隔を置いて先端部から前記凸部のある位置よりも深い部位に達する割溝を形成したことを特徴とする貫通ダクト部材。
【請求項６】
請求項５に記載の端部押さえ部材のフランジ部材が、筒部とその先端に形成されたフランジ部とから成り、該フランジ部の基端部側の内周面には、前記端部押さえ部材の外周面に形成された雄螺部に螺合する雌螺部を形成し、前記フランジ部の先端部側の内周面には、前記管材の差込ガイド部を挿入可能とする差込み溝を形成したことを特徴とする貫通ダクト部材。
【請求項７】
外壁材と内壁材とからなる中空壁の少なくとも一方の壁内面に気密シートが張設されるとともにそれらの各材を貫通した略同径の貫通孔に対して請求項１乃至３のうちいずれかに記載の貫通ダクト部材を使用した中空壁のダクト構造であって、
前記外壁材又は内壁材に設けた貫通孔に前記貫通ダクト部材が、差込ガイド部を先にして一方から差し込まれ、
前記貫通ダクト部材の外周溝が差込側の壁材に嵌合固定されるとともに先方の内部フランジが壁の中空内に残って前記差込ガイド部が前記貫通孔から外側に突出され、
前記貫通ダクト部材の両内部フランジ間の蛇腹状の伸縮部の復元力で前記両内部フランジが外壁材と内壁材の中空内壁面を押圧して両貫通孔と管材の外周との間を遮断し、
外壁材と内壁材間の中空空間の気密性を維持可能としたことを特徴とする中空壁のダクト構造。
【請求項８】
外壁材と内壁材とからなる中空壁の少なくとも一方の壁内面に気密シートが張設されるとともにそれらの各材を貫通した略同径の貫通孔に対して請求項４に記載に記載の貫通ダクト部材を使用した中空壁のダクト構造であって、
前記外壁材又は内壁材に設けた貫通孔に前記貫通ダクト部材の管材が先に差込ガイド部を先にして一方から差し込まれ、
前記管材の外周溝が差込側の壁材に嵌合固定されるとともに先方の内部フランジが壁の中空内に残って前記差込ガイド部が前記貫通孔から外側に突出され、
前記貫通ダクト部材の両内部フランジ間の蛇腹状の伸縮部の復元力で前記両内部フランジが外壁材と内壁材の中空内壁面を押圧して両貫通孔と前記管材の外周との間を遮断し、
前記管材の一方側に形成された外部フランジ部から管内に端部押さえ部材を該外部フランジ部に当たるまで差し込んで、前記管材の端部を前記貫通孔に固定し、
外壁材と内壁材間の中空空間の気密性を維持可能としたことを特徴とする中空壁のダクト構造。
【請求項９】
外壁材と内壁材とからなる中空壁の少なくとも一方の壁内面に気密シートが張設されるとともにそれらの各材を貫通した略同径の貫通孔に対して請求項５又は６に記載の貫通ダクト部材を使用した中空壁のダクト構造であって、
前記外壁材又は内壁材に設けた貫通孔に前記貫通ダクト部材の管材が先に差込ガイド部を先にして一方から差し込まれ、
前記管材の外周溝が差込側の壁材に嵌合固定されるとともに先方の内部フランジが壁の中空内に残って前記差込ガイド部が前記貫通孔から外側に突出され、
前記貫通ダクト部材の両内部フランジ間の蛇腹状の伸縮部の復元力で前記両内部フランジが外壁材と内壁材の中空内壁面を押圧して両貫通孔と前記管材の外周との間を遮断し、
前記管材の差込ガイド部側の貫通孔から外側に突出した前記差込ガイド部を切除し、端部押さえ部材の凸部を切除した前記差込ガイド部側から前記管材内周面の内周溝に差し込んで係合させ、前記端部押さえ部材の筒体に螺着しているフランジ部を回転させて壁外面に強く当接させ、前記管材の内部フランジと前記端部押さえ部材のフランジ部材とで壁材を挟みつけて前記管材の差込ガイド部側の端部を前記貫通孔に固定し、
前記管材の両側で外壁材と内壁材間の中空空間の気密性を維持可能としたことを特徴とする中空壁のダクト構造。
【請求項１０】
請求項７乃至９のうちいずれかに記載の中空壁のダクト構造において、
貫通孔に装着した管材内を通過させて配設した線類及び管類との間に生じた管材内の室内側と室外側の開口隙間に充填材を充填して、室内側と室外側とを遮断したことを特徴とする中空壁のダクト構造。
【発明の詳細な説明】
【技術分野】
【０００１】
本発明は、木造住宅等の間隔を有する外壁材と内壁材から成る中空壁などの壁にエアコンなどの設備の配管、配線用に開口される貫通孔に対して、外壁材と内壁材との間の中空壁内の気密性を維持させるために装着される貫通ダクト部材と、その貫通ダクト部材を用いた中空壁のダクト構造に関する。
【背景技術】
【０００２】
木造住宅の壁を外壁材と内壁材とに中空間隔を設けて二重にしてその中空壁の少なくとも一方の壁内面に気密シートを張設し、さらにその外壁側に断熱材を配した外断熱型の中空壁構造や内壁側に断熱材を配した内断熱型の断熱材充填壁構造にした高気密木造住宅が省エネルギー対策として多く建設されている。
このような高気密壁を備えた住宅では、エアコン等の室外機を設置する場合、壁の外壁材と内壁材に通常直径６５ｍｍの貫通孔を開け、エアコン等の室内機と屋外機とを連結させる配管工事を行っているが、孔を開けたままではその貫通孔から壁内の空間内に外気や虫等が侵入するおそれがあり、その空間内に外気が侵入すると壁の断熱性が損なわれ、冷暖房に大きなエネルギーが浪費され、また虫等が入ると木材の虫食で損傷し住宅の価値を損なうことになる。
このような中空空間内への外気や虫の侵入を防ぐために室内側と屋外側から貫通孔の開口隙間に合成樹脂製のパテやモルタルを充填することが行われていたが、パテでは屋外から紫外線による経時変化により収縮や劣化が起こり亀裂や剥離が発生するので長期間にわたり壁内の気密性を確保することが困難であり、またモルタルでは施工時において充填後の固化に時間がかかることと、エアコン等の装置の交換の際に固まったモルタルを除去するのが困難となる難点があった。
そこで、このような充填による方法の難点を解決しようとして下記特許文献１に記載の手法が提案されている。即ち、下記引用文献１では、モルタルを使わずに、貫通孔に螺旋管を差し込んでその螺旋管と壁との隙間には弾性シール材を配し、この弾性シール材を螺旋管に螺合した固定リングで弾性シール材を壁に対して挟圧させることで確実に隙間を塞ごうとしている。また、本発明者は先に特許文献２の蛇腹状で長さを伸縮できる壁連通管材とその壁構造を提案している。
【特許文献１】特開２０００−１７９７５０号公報
【特許文献２】特許第３８４８９６８号公報
【発明の開示】
【発明が解決しようとする課題】
【０００３】
上記特許文献１の技術では、室内の壁面に露出される貫通孔によって室内の美観が損なわれるのを避けために設けた貫通孔が、間柱や筋違等の耐力構造体を損傷するのを避けて外壁材側と内壁材側の中心位置をずらして設けられている場合、硬い螺旋管では使用することができない。
そのような位置のずれた貫通孔に対して、仮に上記引用文献１の螺旋管を用いようとしても、アルミニウムなどの金属やエンジニアプラスチックなどの硬い素材で作られた螺旋管では殆ど曲げることができず、無理に湾曲させると螺旋管に形成されている螺旋が変形して固定リングが螺合できなくなるので使用することが不可能となる。
また、この引用文献１に記載の方法では、専用の螺旋管とその管に螺合する固定リング及び弾性シール材を使用するものなので、資材のコストアップと固定リングの螺着などの施工に大変手間を要する難点がある。
したがって、外壁材と内壁材との両貫通孔の中心位置をずらして設けた場合には、開口部を上記難点を有するパテ又はモルタルなどで充填する以外の有効な方法が見出せなかった。
【０００４】
そこで、本発明者は先に上記特許文献２の蛇腹状で長さを伸縮できる壁連通管材とその壁構造を提案し、この壁連通管材によって、エアコン等の室内機と屋外機とを連結させるために壁の外壁材と内壁材に開けられる両貫通孔に、該貫通孔の外壁材側と内壁材側の中心位置がずれている場合であっても、壁内の気密性が損なわれて壁断熱性の機能低下などが起こるのを防ぐことができ、またその貫通孔から壁内へ虫等が侵入して壁が損傷されて建物の価値が損なわれることがないように両側の貫通孔の位置ずれに柔軟に対応して簡単に装着できて壁内の空間を外部の空間から遮断すること可能となった。
そしてさらに、この壁連通管材を中空壁に用いることによって、その中空壁内部の気密性を確実に長期間保持することが可能となり、さらにエアコン等の装置の取付工事や交換工事などの施工も容易に行うことが可能となった。
しかしながら、壁材に開けられた貫通孔の状態は、実際には真円ではなく形が変形したり崩れていた場合も多くあり、蛇腹状の復元力だけによる押圧程度では、貫通孔と壁連通管材との間を完全に遮断させることが難しく、結果として発生した隙間によって気密性が損なわれてしまうという場合もあった。
【０００５】
そこで、本発明は貫通孔の状態にかかわらず、より確実に壁内の空間を外部の空間から遮断することが可能となる貫通ダクト部材と、その貫通ダクト部材を使用した気密性の優れた中空壁のダクト構造を提供することを目的とする。
【課題を解決するための手段】
【０００６】
以上の課題を解決するため、本発明の請求項１に記載の貫通ダクト部材は、内壁材と外壁材とから成る中空壁の貫通孔に対して貫着可能に柔軟性と弾力性を有する合成樹脂製の管材で一体的に形成した貫通ダクト部材において、前記管材の一方側の外周には、端部側に前記貫通孔よりも大径の外部フランジを形成するとともに該外部フランジより中央側に前記内壁材又は外壁材のいずれか一方の厚さと略等しい溝幅の外周溝を形成する内部フランジを前記貫通孔よりも大径に形成し、前記管材の他方側の外周には、前記内部フランジから壁内の中空間隔よりも離れた部位に前記貫通孔よりも大径の内部フランジを設けるとともに該内部フランジよりもさらに端部側に前記中空間隔よりも長い差込ガイド部を形成し、前記管材の外周径を、前記外周溝部分では上記一方側の内壁材又は外壁材の貫通孔と略等しい外径に形成し、前記差込ガイド部側の内部フランジ寄り部位では前記他方側の貫通孔と略等しい外径に形成し、前記管材の両内部フランジの内周面にはそれぞれ内部フランジの厚肉内に広がる内周溝を形成し、前記両内部フランジ間には、貫通孔と略等しい内径で、長さが前記外壁材と内壁材との間隔より長く、縮めたときに該間隔内に納まる長さで、指の力で柔軟に変形し且つ復元可能な厚みとした蛇腹状の伸縮部を形成したことを特徴とする。
【０００７】
請求項２に記載の発明は、上記発明において、前記内周溝の溝内に、該内周溝の溝幅と略同厚とした弾力性を備えた柔軟なリング状充填部材を充填したことを特徴とする。
【０００８】
請求項３に記載の発明は、上記発明において、前記内周溝の溝内に充填されたリング状充填部材を、一方の半周側は前記内周溝内に固定し、固定させない他方の半周側は前記内周溝から溝外に引き出し可能に納めたことを特徴とする。
【０００９】
請求項４記載の発明は、上記請求項１乃至３のうちいずれかに記載の貫通ダクト部材の管材の端部から差し込んで、中空壁の貫通孔に管材の端部を固定する端部押さえ部材を備えた貫通ダクト部材であって、前記端部押さえ部材が、前記管材のいずれか一方又は両方の端部の内周径と略同径の外周径とした筒体の基端部にはフランジ部を備え、該筒体の先端部には、外周面に前記フランジ部が前記外壁材又は内壁材の外面若しくは前記管材の外部フランジの外面に接合状態で前記管材の内周溝内に係合可能な凸部を形成し、該筒体の周方向に間隔を置いて先端部から前記凸部のある位置よりも深い部位に達する割溝を形成したことを特徴とする。
【００１０】
請求項５に記載の発明は、上記請求項１乃至３のうちいずれかに記載の貫通ダクト部材の管材の端部から差し込んで、中空壁の貫通孔に管材の端部を固定する端部押さえ部材を備えた貫通ダクト部材であって、前記端部押さえ部材が、前記管材のいずれか一方又は両方の端部の内周径と略同径の外周径とした筒体の基端部には外周面に雄螺部を形成するとともに該雄螺部に螺合する雌螺部を形成したフランジ部材を螺着可能に備え、該筒体の先端部には、外周面に前記フランジ部が前記外壁材又は内壁材の外面若しくは前記管材の外部フランジの外面に接合状態で前記管材の内周溝内に係合可能な凸部を形成し、該筒体の周方向に間隔を置いて先端部から前記凸部のある位置よりも深い部位に達する割溝を形成したことを特徴とする。
【００１１】
請求項６に記載の発明は、上記請求項５に記載の端部押さえ部材のフランジ部材が、筒部とその先端に形成されたフランジ部とから成り、該フランジ部の基端部側の内周面には、前記端部押さえ部材の外周面に形成された雄螺部に螺合する雌螺部を形成し、前記フランジ部の先端部側の内周面には、前記管材の差込ガイド部を挿入可能とする差込み溝を形成したことを特徴とする。
【００１２】
請求項７に記載の発明は、外壁材と内壁材とからなる中空壁の少なくとも一方の壁内面に気密シートが張設されるとともにそれらの各材を貫通した略同径の貫通孔に対して請求項１乃至３のうちいずれかに記載の貫通ダクト部材を使用した中空壁のダクト構造であって、前記外壁材又は内壁材に設けた貫通孔に前記貫通ダクト部材が、差込ガイド部を先にして一方から差し込まれ、前記貫通ダクト部材の外周溝が差込側の壁材に嵌合固定されるとともに先方の内部フランジが壁の中空内に残って前記差込ガイド部が前記貫通孔から外側に突出され、前記貫通ダクト部材の両内部フランジ間の蛇腹状の伸縮部の復元力で前記両内部フランジが外壁材と内壁材の中空内壁面を押圧して両貫通孔と管材の外周との間を遮断し、外壁材と内壁材間の中空空間の気密性を維持可能としたことを特徴とする。
【００１３】
請求項８に記載の発明は、外壁材と内壁材とからなる中空壁の少なくとも一方の壁内面に気密シートが張設されるとともにそれらの各材を貫通した略同径の貫通孔に対して請求項４に記載に記載の貫通ダクト部材を使用した中空壁のダクト構造であって、前記外壁材又は内壁材に設けた貫通孔に前記貫通ダクト部材の管材が先に差込ガイド部を先にして一方から差し込まれ、前記管材の外周溝が差込側の壁材に嵌合固定されるとともに先方の内部フランジが壁の中空内に残って前記差込ガイド部が前記貫通孔から外側に突出され、前記貫通ダクト部材の両内部フランジ間の蛇腹状の伸縮部の復元力で前記両内部フランジが外壁材と内壁材の中空内壁面を押圧して両貫通孔と前記管材の外周との間を遮断し、前記管材の一方側に形成された外部フランジ部から管内に端部押さえ部材を該外部フランジ部に当たるまで差し込んで、前記管材の端部を前記貫通孔に固定し、外壁材と内壁材間の中空空間の気密性を維持可能としたことを特徴とする。
【００１４】
請求項９に記載の発明は、外壁材と内壁材とからなる中空壁の少なくとも一方の壁内面に気密シートが張設されるとともにそれらの各材を貫通した略同径の貫通孔に対して請求項５又は６に記載の貫通ダクト部材を使用した中空壁のダクト構造であって、前記外壁材又は内壁材に設けた貫通孔に前記貫通ダクト部材の管材が先に差込ガイド部を先にして一方から差し込まれ、前記管材の外周溝が差込側の壁材に嵌合固定されるとともに先方の内部フランジが壁の中空内に残って前記差込ガイド部が前記貫通孔から外側に突出され、前記貫通ダクト部材の両内部フランジ間の蛇腹状の伸縮部の復元力で前記両内部フランジが外壁材と内壁材の中空内壁面を押圧して両貫通孔と前記管材の外周との間を遮断し、前記管材の差込ガイド部側の貫通孔から外側に突出した前記差込ガイド部を切除し、端部押さえ部材の凸部を切除した前記差込ガイド部側から前記管材内周面の内周溝に差し込んで係合させ、前記端部押さえ部材の筒体に螺着しているフランジ部を回転させて壁外面に強く当接させ、前記管材の内部フランジと前記端部押さえ部材のフランジ部材とで壁材を挟みつけて前記管材の差込ガイド部側の端部を前記貫通孔に固定し、前記管材の両側で外壁材と内壁材間の中空空間の気密性を維持可能としたことを特徴とする。
【００１５】
請求項１０に記載の発明は、上記請求項７乃至９のうちいずれかに記載の中空壁のダクト構造において、貫通孔に装着した管材内を通過させて配設した線類及び管類との間に生じた管材内の室内側と室外側の開口隙間に充填材を充填して、室内側と室外側とを遮断したことを特徴とする。
【発明の効果】
【００１６】
本発明の貫通ダクト部材は、内壁材及び外壁材の貫通孔へ装着する際に柔軟性があるので指で押し潰すように細く変形させることによって内部フランジまでを内壁材又は外壁材の一方向の貫通孔から中空空間に差込み、両貫通孔の中心が大きくずれていても容易に装着することが可能となる。その際に、外壁材と内壁材との中空間隔よりも差込ガイド部が長いので、その差込ガイド部が他方の貫通孔へ届くので、さらにそのまま全体を中空内に深く差し込んで一方向から容易に装着することが可能となる。
そして、前記貫通ダクト部材の両内部フランジ間の蛇腹状の伸縮部には復元力があるので前記両内部フランジが外壁材と内壁材の中空内壁面を押圧し、両貫通孔と管材の外周との間をたとえ貫通孔に変形があったとしても隙間が発生しないように密着させ中空空間の気密性を維持させることが可能となる。
【００１７】
また、請求項２に記載の前記内周溝の溝内に、柔軟なリング状充填部材を充填した形態では、外壁材と内壁材の中空内壁面を充填部材のクッション性を伴って両内部フランジ面で押圧するので、たとえ貫通孔に大きな変形があったとしても貫通孔の変形に追従して中空内壁面に密着でき、その結果、中空空間のより高い気密性を維持することが可能となる。
【００１８】
また、請求項３に記載の発明では、貫通孔に両内部フランジを挿入させる際に、リング状充填部材の前記内周溝の溝内に充填されたリング状充填部材の固定させない半周側を前記内周溝から溝外に引き出すことで、両内部フランジ部分が折り曲げて径を小さく変形させやすくなり、また、両内部フランジの復元も速やかにでき、その後に溝内へリング状充填部材を戻す作業も、リング状充填部材の一方側が溝内に固定されているので容易に行うことが可能となる。これにより、貫通孔への貫通ダクト部材の挿入と復元して固定する工程がもたつくことなく行えるので作業時間の短縮が実現できる。
【００１９】
請求項４に記載の発明では、貫通孔に貫通ダクト部材を管材の端部から差し込んで、中空壁の貫通孔に管材を固定した後、その管材の端部を端部押さえ部材で、前記管材の内周溝に凸部を係合させ、フランジ部で外部フランジを押え着けるようにして、貫通孔に貫通ダクト部材をより強固に固定することが可能となる。
【００２０】
請求項５に記載の発明では、壁材の厚さが種々であっても、その厚さにフランジ部の螺着位置を移動させることで厚さに自由に対応させて管材の端部を貫通孔に固定することが可能となる。このため、前記管材の差込ガイド部側に装着すれば、前記管材の両側ともに端部押さえ部材のフランジ部と両内部フランジとで壁材を挟み付けて貫通孔に貫通ダクト部材をより確実に固定することが可能となる。
【００２１】
請求項６に記載の発明では、前記管材の差込ガイド部側の貫通孔から外側に突出した差込ガイド部を、壁材の外表面から突出させた状態で切除でき、この突出部分を、差込み溝で挟んで前記端部押さえ部材のフランジ部を壁材の外表面に密着状態に螺着させて、貫通孔に貫通ダクト部材をさらに確実に固定することが可能となり、差込ガイド部側の気密性についてもより確実に保持できるようになる。
【００２２】
また、請求項７から９に記載の発明は、外壁材と内壁材とからなる中空壁の少なくとも一方の壁内面に気密シートが張設されるとともにそれらの各材を貫通した略同径の貫通孔に対して請求項１乃至３のうちいずれかに記載の貫通ダクト部材を使用したダクト構造である。
【００２３】
請求項７の発明では、前記貫通ダクト部材の両内部フランジ間の蛇腹状の伸縮部の復元力で前記両内部フランジが外壁材と内壁材の中空内壁面を押圧して両貫通孔と管材の外周との間を遮断し、外壁材と内壁材間の中空空間の気密性が維持できる。
【００２４】
請求項８に記載の発明では、前記両内部フランジが外壁材と内壁材の中空内壁面を押圧して両貫通孔と管材の間を遮断するとともに前記貫通ダクト部材の端部を内周溝に凸部を係合させた端部押さえ部材で前記貫通孔に管材端部が確実に固定できる。
【００２５】
請求項９に記載の発明は、差込ガイド部側の貫通孔から外側に突出した差込ガイド部を切除し、前記貫通ダクト部材の端部を内周溝に凸部を係合させた端部押さえ部材でフランジ部を壁外面に強く螺着させることができ、この結果、管材端部と外壁材と内壁材との間のより高い気密性が得られる。
この形態では壁の貫通孔部分の壁材の厚さが種々大きく異なっていたとしても、雄螺部の長さ範囲で筒体に螺着しているフランジ部材の位置を移動させて、壁材の実際の厚さに自由に対応して調節することが可能となる。
【００２６】
その後、請求項１０に記載の発明では、エアコン等の装置の取付工事や交換工事などの施工が終了したら、パテ材などに充填材で貫通ダクト部材と配管の隙間が充填され室内と室外とは完全に遮断される。
このように室内と室外とを遮断する方法として、前記貫通ダクト部材の差込ガイド部を切除せずに置いて、エアコン等の装置の取付工事や交換工事などの施工が終了してから差込ガイド部を絞ってその周囲を粘着テープ又は針金など結束する方法を採れば、一方側には充填材を使用せずに室内と室外の空間の遮断が可能となる。
【００２７】
以上のように本発明は、気密シートを張った外壁材と内壁材の中空空間を外部空間から遮断させることができ、この結果、中空空間への湿気の侵入が防止され結露の発生を防止することを可能にし、壁を開口させることで損なわれる中空壁の断熱効果の低下を防止して、室内温度を一定に維持するための冷暖房費の大幅な節約を実現し、熱エネルギーの消費を抑えことによって地球環境の維持にも貢献することが可能となる。
【発明を実施するための最良の形態】
【００２８】
本発明は中空壁用の貫通ダクト部材と、その貫通ダクト部材を使用した中空壁のダクト構造である。
前記貫通ダクト部材は、図６に示すように、中空間隔Ｗを有する外壁材２９と内壁材２８とからなる中空壁に設けられた貫通孔３１、３２（室内のエアコン３４と外の室外機３３とを繋ぐ冷媒管や配水管３５及び電線３６など通すための貫通孔）に装着されるものなので、構成される各部分がその壁の構造との関係を有する。
即ち本発明の貫通ダクト部材は、図１０に示すように、間柱の幅で決まる中空間隔Ｗを有する内壁材２８と外壁材２９により、中空間隔Ｗを有する中空空間が形成された壁に設けた貫通孔３１、３２に対して、室外機３３への配管側の空間と壁内の中空空間とを仕切るために貫着させる管状の壁面貫通部材、即ち貫通ダクト部材である。
前記外壁材２９は、気密シート３０の次の内側から順に石膏ボード２９ｃ、発泡樹脂製断熱材２９ｂ、セメント系外壁材２９aとで構成される。
このような中空壁との関係とともにその構成を以下に詳説する。
【００２９】
まず、貫通ダクト部材の形態から説明する。
本発明の基本的な貫通ダクト部材は、例えば図１の（イ）、（ロ）、（ハ）に示すように、中央の蛇腹状の伸縮部２の両側に内部フランジ５、６が備わり、その一方側の内部フランジ５の外側には外周溝３を挟んで外部フランジ４が形成され、他方側の内部フランジ６の外側には差込ガイド部７が一体的に形成されている。
前記貫通ダクト部材は、図１の（イ）の力が加わっていない状態から、力が加わって（ロ）の曲がった状態、（ハ）の縮んだ状態などに変形する柔軟性と、元の状態に復元する弾力性を有する合成樹脂製の管材１で一体的に形成されている。そして、この変形は指で押し変形させ潰すことができる程度まで柔軟性を備える。
その素材として、ポリエチレンフィルムやゴム状の合成樹脂が使用できる。
【００３０】
この貫通ダクト部材の寸法は、上記の如き取り付ける内壁材２８と外壁材２９とから成る中空壁の貫通孔によって、制約を受けた構成となる。
図７に示すように、前記管材１の一方側の外周には、端部側に前記内壁材２８の貫通孔３１よりも大径の外部フランジ４を形成するとともに該外部フランジ４より中央側に前記内壁材２８の厚さと略等しい溝幅の外周溝３を形成する内部フランジ５を一体的に設ける。
前記外周溝３は、例えば、図１では、内壁材２８に対応させるために、外部フランジ４と内部フランジ５の間は石膏ボードなどの標準板厚の１２ｍｍとし、その内壁材２８の両面から外部フランジ４と内部フランジ５とが気密状態に嵌合できるように、外周溝３の幅を１２ｍｍとする。そして、前記内部フランジ５も前記貫通孔３１よりも大径とする。
【００３１】
また、前記管材１の他方側の外周には、前記内部フランジ５から壁内の中空間隔よりも離れた部位に前記外壁材２９の貫通孔３２よりも大径の内部フランジ６を一体的に設けるとともに該内部フランジ６よりもさらに端部側に前記中空間隔Ｗよりも長い差込ガイド部７を一体的に形成する。
【００３２】
前記差込ガイド部７が長いので、先端がガイド役となって円滑に内壁材２８の貫通孔から差し込んで外壁材２９の貫通孔から外に抜き出させることが可能となる。
該差込ガイド部７は、壁に装着後、中に通過させて配設した線類及び管類を絞り着けその周囲を粘着テープ又は針金で結束することも可能であるが、その場合、あまり長いと機器の線類及び管類を通しにくくなるので、粘着テープなどでの結束が可能な範囲の長さにできるだけ短くすると良い。しかし、前記中空間隔Ｗよりも短いとの貫通孔から差し込んだ先端が他の貫通孔まで届かないので全体が差し込みにくくなるので好ましくない。
【００３３】
また、前記管材１の外周径は、前記外部フランジ４と内部フランジ５との間に形成される外周溝３部分では前記内壁材２８の貫通孔と略等しい径に形成し、前記差込ガイド部７では前記他方側の外壁材２９の貫通孔と略等しい径に形成する。
外径を前記貫通孔の径と略等しい径にしたのは、前記貫通孔の径より小径の場合には貫通孔との間にその分だけ隙間が生じ、貫通孔の口縁の密閉性が低下しする虞があり、逆に外径が前記貫通孔の径より大径では装着されたときの変形が復元しきれずに隙間が発生する虞があるためである。
通常、エアコン用では貫通孔は６５ｍｍとする場合が多い。したがって、そのサイズの貫通孔では、前記外部フランジ４と内部フランジ５、６の外径は、貫通孔の変形を考慮して約８０ｍｍから１００ｍｍ程度であれば良い。
【００３４】
そして、前記管材１の両内部フランジ５、６の内周面にはそれぞれ内部フランジ５、６の厚肉内に広がる内周溝８、９を形成する。
該内周溝８、９の溝内には、図２に示すように、該内周溝の溝幅と略同厚とした弾力性を備えた柔軟なスポンジで作られた、図５に示すリング状充填部材１０を充填する。
そして、前記内周溝８、９の溝内に充填されたリング状充填部材１０を、一方の半周側は前記内周溝８、９内に固定し、固定させない他方の半周側は前記内周溝８、９から溝外に引き出し可能に納める。
前記リング状充填部材１０は内周溝８、９側から内部フランジ５、６の内壁材２８又は外壁材２９からの押圧を受けて、内部フランジ５、６とそれらの壁材の内面との密着性を高めるために装着するものである。
なお、上記貫通ダクトの周囲を断熱材で覆うことで、中空空間と外部との断熱効果を高めることも可能である。
【００３５】
前記両内部フランジ５、６間には蛇腹状の伸縮部２を形成し、貫通孔が６５ｍｍの場合には、蛇腹はその貫通孔と略等しい６５ｍｍの内径で外径は８０ｍｍとする。そして、長さが前記外壁材２８と内壁材２９との間隔Ｗより長く、且つ縮めたときに該間隔内に納まる長さで、且つ指の力で柔軟に変形し且つ復元可能な約２ｍｍの厚みとした蛇腹状の伸縮部２を形成する。
【００３６】
なお、外部フランジ４は円板状、半円形板状や多角形板状など自由な形状の板状に形成できる。さらに、パテによる充填を考慮してパテの付け代の形状や、パテによる充填をしない場合には室内壁面に目立たないような色や形状にしても良い。また、エアコンの後ろに隠した貫通孔がエアコンの外周際にある場合に外部フランジ４の一部分が食み出す場合には、その部分を取り付け場所の状況に合わせて鋏やカッターで切除するなど、材質が柔軟性の合成樹脂なので自由に加工することができる。
【００３７】
前記貫通ダクト部材は上記管材のみでも使用は可能であるが、図３及び図４に示すように、管材の端部から差し込んで、中空壁の貫通孔に管材の端部を固定する端部押さえ部材を組み合わせて用いることができる。
該端部押さえ部材は、例えば、図４の（イ）に示すように、管材１より硬質な弾性体を用い、前記管材１の端部の内周径と略同径となる外周径とした筒体１３の一方端部に、フランジ部１４を備えた端部押さえ部材１２が使用できる。
図４の（イ）に示す端部押さえ部材１２は、前記管材１のいずれか一方又は両方の端部の内周径と略同径の外周径とした筒体１３の基端部にはフランジ部１４を備え、該筒体１３の先端部には、外周面に前記フランジ部１４が前記外壁材２９又は内壁材２８の外面に接合状態で前記管材１の内周溝８、９内に係合可能な凸部１５が形成され、該筒体１３の周方向に間隔を置いて先端部から前記凸部１５のある位置よりも深い部位に達する割溝１６が形成されている。
【００３８】
また、これとは別に図３に示す端部押さえ部材１７は、前記管材１のいずれか一方又は両方の端部の内周径と略同径の外周径とした筒体１８の基端部には外周面に雄螺部２０を形成するとともに該雄螺部２０に螺合する雌螺部２１を形成したフランジ部材１９を螺着可能に備え、該筒体１８の先端部には、外周面に前記フランジ部１４が前記外壁材２９又は内壁材２８の外面に接合状態で前記管材１の内周溝８、９内に係合可能な凸部２２が形成され、該筒体１８の周方向に間隔を置いて先端部から前記凸部２２のある位置よりも深い部位に達する割溝２３が形成されている。
【００３９】
前記端部押さえ部材１７では、別の形態のフランジ部材１９を使用できる。
その形態は、図４の（ロ）及び（ハ）に示すように、筒部２４とその先端に形成されたフランジ部２５とから成り、該フランジ部２５の基端部側の内周面には、前記端部押さえ部材１７の外周面に形成された雄螺部２０に螺合する雌螺部２６を形成し、前記フランジ部２５の先端部側の内周面には、前記管材１の差込ガイド部７を挿入可能とする差込み溝２７を形成したものである。
【００４０】
前記端部押さえ部材の筒体の先端部に外周に突出させた凸部１５、２２は、筒体の先端部から該凸部１５、２２のある位置よりも深く切欠した割溝１６、２３によって、凸部１５、２２の突出部分がそれよりも狭い筒体の内周面を通過するときに内側に湾曲することで、筒体に装着しやすくなるとともに、前記内周溝５、６に嵌合すると抜けにくくなって貫通ダクト部材の端部のフランジを壁材に対して確実に固定することができるようになる。
【００４１】
次に前記外壁材２９と内壁材２８とからなる中空壁の少なくとも一方の壁内面に気密シート３０が張設されるとともにそれらの各材を貫通した略同径の貫通孔に対して上記貫通ダクト部材を使用したダクト構造について説明する。
【００４２】
そのダクト構造の施工は、図８に示すように、内壁材２８の貫通孔３１から、管材１の差込ガイド部７を先にして差込み、さらに、図９に示すように、内壁材２８の貫通孔３１に管材１を変形させつつ差込ガイド部７の端部を外壁材２９の貫通孔３２に掛け渡しで外周溝３までを差し込む。
この図８の場合、内壁材２８側から差し込んで装着する方法を示しているが、外壁材２９の貫通孔３２からから管材１を変形させつつ差込ガイド部７の端部を貫通孔３１に掛け渡して差し込むこともできる。
そして、図９に示すように、内壁材２８の貫通孔３１から管材１を押し込ようとすると、外壁材２９に差込ガイド部７側の内部フランジ６が当たり、さらに押し込めると、蛇腹状の伸縮部２の内部フランジ５、６間の長さが縮み、内部フランジ５が中空空間に入って管材１の外周溝３が内壁材２８に密着状態に嵌合し、さらにその先方の内部フランジ６が壁の中空内に残って差込ガイド部７が貫通孔３２から外側に突出される。
これによって、前記貫通ダクト部材の両内部フランジ５、６間の蛇腹状の伸縮部２の復元力で前記両内部フランジ５、６が外壁材２９と内壁材２８の中空内壁面を押圧して両貫通孔と管材１の外周との間を遮断し、中空空間の気密性が維持できるようになる。
【００４３】
次に、図１０に示すように、外壁材２９から外に突出した差込ガイド部７の部分を切除した後、管材１の端部に端部押さえ部材を嵌め込んで貫通ダクト部材の端部を固定する構造を説明する。この端部押さえ部材は、図１１に示すように、管材１の端部の両側に固定する場合と、いずれか一方のみに固定する場合とがある。
【００４４】
管材１の端部の両側に固定する場合を示す図１１で、一方側の前記端部押さえ部材１２を使用したダクト構造から説明する。
図１１に示す端部押さえ部材１２は内壁材２８側のように壁材の厚さが決まっている場合に使用され、筒体部分の長さ調節を要しない場合の構造であり、前記貫通ダクト部材に形成された外部フランジ４から管材１内に差し込んで、管材１の端部を前記貫通孔に固定するものである。
前記端部押さえ部材１２は、外部フランジ４側から管材１に差し込んでその内周溝８に端部押さえ部材１２の凸部１５を係合させる。
この端部押さえ部材１２の装着は、筒体１３の先端部の凸部１５が外周溝３部分の内周面に押されて割溝１６によるの変形でスムーズに差し込まれ、内周溝８に到って復元して内周溝８内に凸部１５が嵌合して抜けにくくなり、壁に貫通ダクトが確実に固定される。
即ち、管材１の内部フランジ５と前記端部押さえ部材のフランジ部１４とで内壁材２８と外部フランジ４とが一緒に挟みつけられて貫通孔に固定される。
【００４５】
また、図１１に示す外壁材２９側の端部押さえ部材１７は、壁材の厚さが種々異なっている場合、筒体に螺着しているフランジ部材の位置の移動で壁材の各種の厚さに自由に対応可能とするものである。
この端部押さえ部材１７は、図１１に示すように、管材１の差込ガイド部７側の外壁材２９の貫通孔３２から外側に突出した差込ガイド部７を全部切除した後に、差込ガイド部７から管材１内に  図３に示す端部押さえ部材１７を差し込んで、その差込ガイド部７側の端部を前記貫通孔に固定する。
この端部押さえ部材１７は、切除した差込ガイド部７側から管材１に差し込んでその内周溝９に端部押さえ部材１７の凸部２２を係合させる。
この場合も端部押さえ部材１７の装着は、筒体１８の先端部の凸部２２が差込ガイド部７の内周面に押されて割溝２３によるの変形でスムーズに差し込まれ、内周溝９に到って復元して内周溝９内に凸部２２が嵌合して抜けにくくなり、壁に貫通ダクトが確実に固定される。
そして、前記端部押さえ部材１７の筒体１８の雄螺部２０にフランジ部材１９内周の雌螺部２１で羅着し、前記フランジ部材１９を回転させて外壁の外面に強く当接させ、管材１の内部フランジ６と前記端部押さえ部材１７のフランジ部材１９とで外壁材２９及び気密シート３０を挟みつけて管材１の差込ガイド部７側の端部を前記貫通孔に確実に固定する。
【００４６】
上記の如く、図１１に示す形態では、内壁材２８側の端部押さえ部材１２と外壁材２９側の端部押さえ部材１７との管材１の両側で、外壁材２９と内壁材２８間の中空空間の気密性が維持される。
そして、管材１より硬い合成樹脂製の端部押さえ部材１７の補強で管材１の両側で貫通孔３１、３２との隙間が塞がれるとともに、柔らかい合成樹脂製の管材１の内周方向への変形が防止されるので、より確実に内壁材２８と外壁材２９に対して強固に固定される。
【００４７】
これとは別の形態の図１２に示す外壁材２９側の端部押さえ部材１７は、管材１の差込ガイド部７側の貫通孔３２から外側に突出した差込ガイド部７をその一部を少し突出させてカッターなどで切除した後に、差込ガイド部７から管材１内に  図４に示す端部押さえ部材１７を差し込んで、その差込ガイド部７側の端部を前記貫通孔に固定するものである。
該端部押さえ部材１７は、前記差込ガイド部７側から管材１に差し込んでその内周溝９に端部押さえ部材１７の凸部２２を係合させる。
この形態でも、端部押さえ部材１７の装着は、筒体１８の先端部の凸部２２が差込ガイド部７の内周面に押されて割溝２３によるの変形でスムーズに差し込まれ、内周溝９に到って復元して内周溝９内に凸部２２が嵌合して抜けにくくなり、壁に貫通ダクトが確実に固定される。
そして、前記端部押さえ部材１７の筒体１８の雄螺部２０に  図４に示すフランジ部材１９がその雌螺部２６で羅着され、前記フランジ部材１９を回転させて外壁の外面に強く当接させる。
【００４８】
この際、前記フランジ部材１９の基端部側の内周面には、図４に示すように、前記端部押さえ部材１７の外周面に形成された雄螺部２０に螺合する雌螺部２６が形成され、そのフランジ部材１９の先端部側の内周面には、前記管材１の差込ガイド部７を挿入可能とする差込み溝２７が形成されており、この差込み溝２７に差込ガイド部７が差し込まれて、前記フランジ部材１９が外壁材２９の外面に当接できるように羅着可能となる。
しそて、前記管材１の内部フランジ６と前記端部押さえ部材１７のフランジ部材１９とで外壁材２９及び気密シート３０を強く挟みつけて管材１の差込ガイド部７側の端部を前記貫通孔に確実に固定することが可能となる。
【００４９】
さらに、図１１及び図１２のダクト構造においては、貫通ダクト部材の内周溝８、９内に、発泡樹脂製の柔軟性リング状充填部材１０を装着した形態を示している。
この形態では、中空空間内の内部フランジ５、６が、前記充填部材１０のバックアップで壁材の貫通孔周囲の内表面に押し付けられて密着されるので、貫通孔と管材との隙間が確実に遮断され、即ち内周溝８、９側から内部フランジ５、６の内壁材２８と外壁材２９からの押圧を受けて内部フランジ５、６と内壁材２８と外壁材２９の内面との密着性が高められる。
その結果、室内及び室外の空間と壁内の中空空間とをより確実に遮断し、壁の断熱性低下や壁内部の結露が防止される。
【００５０】
そして、図１３に示すように、両貫通孔３１、３２に装着した管材１内を通過させて配設した線類及び管類との間に生じた管材１内の室内側と室外側の開口隙間にパテなどの充填材３７を充填して室内側と室外側とを遮断し、エアコンなどのダクト取り付け工事が終了する。
【産業上の利用可能性】
【００５１】
本発明は貫通ダクト部材とその貫通ダクト部材を用いた中空壁のダクト構造であるが、本貫通ダクト部材は壁面、床面、天井面などで間隔を開けて二重構造を成した部分に貫通孔を設ける場合はその内部の気密性を保持目的で使用することが可能である。
【図面の簡単な説明】
【００５２】
【図１】本発明の貫通ダクト部材の（イ）は力を加えない状態、（ロ）は曲げた状態、（ハ）は縮めた状態を示す各斜視図である。
【図２】図１の縮めたときの貫通ダクト部材を示す縦断側面図である。
【図３】端部押さえ部材の（イ）が筒体側、（ロ）がフランジ部を示す各縦断斜視図である。
【図４】端部押さえ部材の（イ）がフランジ付き筒体の形態を示し、（ロ）がフランジを螺着した筒体側、（ハ）がそのフランジ部を示す各縦断斜視図である。
【図５】リング状充填部材の（イ）が斜視図、（ロ）が縦断斜視図である。
【図６】中空壁構造の貫通孔を示す縦断側面図である。
【図７】貫通ダクト部材を装着した中空壁のダクト構造を示す縦断側面図である。
【図８】図７における施工工程を示す縦断側面図である。
【図９】図８の次の施工工程を示す縦断側面図である。
【図１０】貫通ダクト部材を装着した中空壁のダクト構造を示す縦断側面図である。
【図１１】端部押さえ部材を装着した中空壁のダクト構造を示す縦断側面図である。
【図１２】別の形態の端部押さえ部材を装着した中空壁のダクト構造を示す縦断側面図である。
【図１３】充填材での貫通ダクト部材の両側を塞いだエアコン装着後のダクト構造を示す縦断側面図である。
【００５３】
Ｗ  壁の中空空間の間隔
１  管材
２  伸縮部
３  外周溝
４  外部フランジ
５  内部フランジ
６  内部フランジ
７  差込ガイド部
８  内周溝
９  内周溝
１０  リング状充填部材
１２  端部押さえ部材
１３  筒体
１４  フランジ部
１５  凸部
１６  割溝
１７  端部押さえ部材
１８  筒体
１９  フランジ部材
２０  雄螺部
２１  雌螺部
２２  凸部
２３  割溝
２４  筒部
２５  フランジ部
２６  雌螺部
２７  差込み溝
２８  内壁材
２９  外壁材
２９ａ  セメント系外壁材
２９ｂ  発泡樹脂製断熱材
２９ｃ  石膏ボード
３０  気密シート
３７  充填材
【図１】
0005132423.tif 000002
【図２】
0005132423.tif 000003
【図３】
0005132423.tif 000004
【図４】
0005132423.tif 000005
【図５】
0005132423.tif 000006
【図６】
0005132423.tif 000007
【図７】
0005132423.tif 000008
【図８】
0005132423.tif 000009
【図９】
0005132423.tif 000010
【図１０】
0005132423.tif 000011
【図１１】
0005132423.tif 000012
【図１２】
0005132423.tif 000013
【図１３】
0005132423.tif 000014